(57)【特許請求の範囲】
【請求項１】
Ｒ信号，Ｇ信号，Ｂ信号からＲ−Ｇ信号，Ｂ−Ｇ信号を生成する第１の色差信号生成手段と、
Ｂ−Ｙ信号を横軸とし、Ｒ−Ｙ信号を縦軸としたＢ−Ｙ，Ｒ−Ｙ座標系であって、上記第１の色差信号生成手段からのＲ−Ｇ信号，Ｂ−Ｇ信号を用い、下記の式によりＲ−Ｙ信号，Ｂ−Ｙ信号を生成する第２の色差信号生成手段と、
Ｒ−Ｙ＝Ｘ｛（Ｒ−Ｇ）＋Ｚ（Ｂ−Ｇ）｝
Ｘ：Ｒ−Ｙ信号のゲイン
Ｚ：Ｒ−Ｙ信号の位相
Ｂ−Ｙ＝Ｘ｛（Ｂ−Ｇ）＋Ｚ（Ｒ−Ｇ）｝
Ｘ：Ｂ−Ｙ信号のゲイン
Ｚ：Ｂ−Ｙ信号の位相
上記Ｂ−Ｙ，Ｒ−Ｙ座標系における第１象限上のＲ−Ｙ信号に対するゲイン及び位相と、Ｂ−Ｙ信号に対するゲイン及び位相とを出力する第１のパラメータ出力手段と、
上記Ｂ−Ｙ，Ｒ−Ｙ座標系における第２象限上のＲ−Ｙ信号に対するゲイン及び位相と、Ｂ−Ｙ信号に対するゲイン及び位相とを出力する第２のパラメータ出力手段と、
上記Ｂ−Ｙ，Ｒ−Ｙ座標系における第３象限上のＲ−Ｙ信号に対するゲイン及び位相と、Ｂ−Ｙ信号に対するゲイン及び位相とを出力する第３のパラメータ出力手段と、
上記Ｂ−Ｙ，Ｒ−Ｙ座標系における第４象限上のＲ−Ｙ信号に対するゲイン及び位相と、Ｂ−Ｙ信号に対するゲイン及び位相とを出力する第４のパラメータ出力手段と、
上記第１のパラメータ出力手段，第２のパラメータ出力手段，第３のパラメータ出力手段，及び第４のパラメータ出力手段からのゲイン及び位相の何れか１つを切換選択し、選択したゲイン又は位相を上記第２の色差信号生成手段に供給する選択手段と、
上記第１の色差信号生成手段からのＲ−Ｇ信号及びＢ−Ｇ信号に基づいて、上記選択手段を制御する制御手段とからなり、
上記制御手段は、
上記第１の色差信号生成手段から供給された信号がＲ−Ｙ信号変換用又はＢ−Ｙ信号変換用のいずれのものであるか、かつ、供給された信号自体がＲ−Ｇ信号又はＢ−Ｇ信号いずれであるかを判定し、Ｒ−Ｙ信号変換用のＲ−Ｇ信号が供給されたと判定したとき、又は、Ｂ−Ｙ信号変換用のＢ−Ｇ信号が供給されたと判定したときは、ゲイン調整を選択し、Ｂ−Ｙ信号変換用のＢ−Ｇ信号が供給されたと判定したとき、又は、Ｂ−Ｙ信号変換用のＲ−Ｇ信号が供給されたと判定したときは、位相を選択する位相・ゲイン判定手段と、
上記第１の色差信号生成手段から供給されたＲ−Ｇ信号又はＢ−Ｇ信号が、Ｒ−Ｙ信号変換用のＲ−Ｇ信号であるかＢ−Ｙ変換用のＢ−Ｇ信号であるかを判定するＲ−Ｙ／Ｂ−Ｙ判定手段と、
上記第１の色差信号生成手段から供給されたＲ−Ｇ信号，Ｂ−Ｇ信号の符号に基づいて、ゲイン・位相の色差信号の調整をどの象限において行うかを判断する象限判定手段とを備え、
上記第１の色差信号生成手段からのＲ−Ｇ信号及びＢ−Ｇ信号の符号がともに正であり、かつ、上記Ｒ−Ｇ信号及びＢ−Ｇ信号がＲ−Ｙ信号に対するゲインを示しているとき、上記第１象限のＲ−Ｙ信号に対するゲインを出力するように、上記選択手段を制御し、
上記第１の色差信号生成手段からのＲ−Ｇ信号及びＢ−Ｇ信号の符号がともに正であり、かつ、上記Ｒ−Ｇ信号及びＢ−Ｇ信号がＢ−Ｙ信号に対するゲインを示しているとき、上記第１象限のＢ−Ｙ信号に対するゲインを出力するように、上記選択手段を制御し、
上記第１の色差信号生成手段からのＲ−Ｇ信号及びＢ−Ｇ信号の符号がともに正であり、かつ、上記Ｒ−Ｇ信号及びＢ−Ｇ信号がＲ−Ｙ信号に対する位相を示しているとき、上記第１象限のＲ−Ｙ信号に対する位相を出力するように、上記選択手段を制御し、
上記第１の色差信号生成手段からのＲ−Ｇ信号及びＢ−Ｇ信号の符号がともに正であり、かつ、上記Ｒ−Ｇ信号及びＢ−Ｇ信号がＢ−Ｙ信号に対する位相を示しているとき、上記第１象限のＢ−Ｙ信号に対する位相を出力するように、上記選択手段を制御し、
上記第１の色差信号生成手段からのＲ−Ｇ信号の符号が正でＢ−Ｇ信号の符号が負であり、かつ、上記Ｒ−Ｇ信号及びＢ−Ｇ信号がＲ−Ｙ信号に対するゲインを示しているとき、上記第２象限のＲ−Ｙ信号に対するゲインを出力するように、上記選択手段を制御し、
上記第１の色差信号生成手段からのＲ−Ｇ信号の符号が正でＢ−Ｇ信号の符号が負であり、かつ、上記Ｒ−Ｇ信号及びＢ−Ｇ信号がＢ−Ｙ信号に対するゲインを示しているとき、上記第２象限のＢ−Ｙ信号に対するゲインを出力するように、上記選択手段を制御し、
上記第１の色差信号生成手段からのＲ−Ｇ信号の符号が正でＢ−Ｇ信号の符号が負であり、かつ、上記Ｒ−Ｇ信号及びＢ−Ｇ信号がＲ−Ｙ信号に対する位相を示しているとき、上記第２象限のＲ−Ｙ信号に対する位相を出力するように、上記選択手段を制御し、
上記第１の色差信号生成手段からのＲ−Ｇ信号の符号が正でＢ−Ｇ信号の符号が負であり、かつ、上記Ｒ−Ｇ信号及びＢ−Ｇ信号がＢ−Ｙ信号に対する位相を示しているとき、上記第２象限のＢ−Ｙ信号に対する位相を出力するように、上記選択手段を制御し、
上記第１の色差信号生成手段からのＲ−Ｇ信号及びＢ−Ｇ信号の符号がともに負であり、かつ、上記Ｒ−Ｇ信号及びＢ−Ｇ信号がＲ−Ｙ信号に対するゲインを示しているとき、上記第３象限のＲ−Ｙ信号に対するゲインを出力するように、上記選択手段を制御し、
上記第１の色差信号生成手段からのＲ−Ｇ信号及びＢ−Ｇ信号の符号がともに負であり、かつ、上記Ｒ−Ｇ信号及びＢ−Ｇ信号がＢ−Ｙ信号に対するゲインを示しているとき、上記第３象限のＢ−Ｙ信号に対するゲインを出力するように、上記選択手段を制御し、
上記第１の色差信号生成手段からのＲ−Ｇ信号及びＢ−Ｇ信号の符号がともに負であり、かつ、上記Ｒ−Ｇ信号及びＢ−Ｇ信号がＲ−Ｙ信号に対する位相を示しているとき、上記第３象限のＲ−Ｙ信号に対する位相を出力するように、上記選択手段を制御し、
上記第１の色差信号生成手段からのＲ−Ｇ信号及びＢ−Ｇ信号の符号がともに負であり、かつ、上記Ｒ−Ｇ信号及びＢ−Ｇ信号がＢ−Ｙ信号に対する位相を示しているとき、上記第３象限のＢ−Ｙ信号に対する位相を出力するように、上記選択手段を制御し、
上記第１の色差信号生成手段からのＲ−Ｇ信号の符号が負でＢ−Ｇ信号の符号が正であり、かつ、上記Ｒ−Ｇ信号及びＢ−Ｇ信号がＲ−Ｙ信号に対するゲインを示しているとき、上記第４象限のＲ−Ｙ信号に対するゲインを出力するように、上記選択手段を制御し、
上記第１の色差信号生成手段からのＲ−Ｇ信号の符号が負でＢ−Ｇ信号の符号が正であり、かつ、上記Ｒ−Ｇ信号及びＢ−Ｇ信号がＢ−Ｙ信号に対するゲインを示しているとき、上記第４象限のＢ−Ｙ信号に対するゲインを出力するように、上記選択手段を制御し、
上記第１の色差信号生成手段からのＲ−Ｇ信号の符号が負でＢ−Ｇ信号の符号が正であり、かつ、上記Ｒ−Ｇ信号及びＢ−Ｇ信号がＲ−Ｙ信号に対する位相を示しているとき、上記第４象限のＲ−Ｙ信号に対する位相を出力するように、上記選択手段を制御し、
上記第１の色差信号生成手段からのＲ−Ｇ信号の符号が負でＢ−Ｇ信号の符号が正であり、かつ、上記Ｒ−Ｇ信号及びＢ−Ｇ信号がＢ−Ｙ信号に対する位相を示しているとき、上記第４象限のＢ−Ｙ信号に対する位相を出力するように、上記選択手段を制御することを特徴とする色信号調整装置。
【請求項２】
上記選択手段は、
上記第１のパラメータ出力手段又は上記第２のパラメータ出力手段又は上記第３のパラメータ出力手段又は上記第４のパラメータ出力手段を切換選択する第１の選択手段と、
上記第１のパラメータ出力手段から出力されるＲ−Ｙ信号及びＢ−Ｙ信号に対するゲイン又は位相を切換選択し、上記第２のパラメータ出力手段から出力されるＲ−Ｙ信号及びＢ−Ｙ信号に対するゲイン又は位相を切換選択し、上記第３のパラメータ出力手段から出力されるＲ−Ｙ信号及びＢ−Ｙ信号に対するゲイン又は位相を切換選択し、上記第４のパラメータ出力手段から出力されるＲ−Ｙ信号及びＢ−Ｙ信号に対するゲイン又は位相を切換選択する第２の選択手段と、
上記第１のパラメータ出力手段から出力されるＲ−Ｙ信号又はＢ−Ｙ信号に対するゲイン及び位相を切換選択し、上記第２のパラメータ出力手段から出力されるＲ−Ｙ信号又はＢ−Ｙ信号に対するゲイン及び位相を切換選択し、上記第３のパラメータ出力手段から出力されるＲ−Ｙ信号又はＢ−Ｙ信号に対するゲイン及び位相を切換選択し、上記第４のパラメータ出力手段から出力されるＲ−Ｙ信号又はＢ−Ｙ信号に対するゲイン及び位相を切換選択する第３の選択手段とを備えることを特徴とする請求項１記載の色信号調整装置。
【請求項３】
イメージセンサが撮像信号として生成した被写体の撮像光に応じたＲ信号、Ｇ信号、Ｂ信号からＲ−Ｇ信号、Ｂ−Ｇ信号を生成する第１の色差信号生成手段と、
Ｂ−Ｙ信号を横軸とし、Ｒ−Ｙ信号を縦軸としたＢ−Ｙ，Ｒ−Ｙ座標系において、上記第１の色差信号生成手段からのＲ−Ｇ信号，Ｂ−Ｇ信号を用い、上記Ｂ−Ｙ信号に対するゲインと位相及び上記Ｒ−Ｙ信号に対するゲインと位相を示すそれぞれの係数を含む下記の式によりＲ−Ｙ信号、Ｂ−Ｙ信号を生成する第２の色差信号生成手段と、
Ｒ−Ｙ＝Ｘ｛（Ｒ−Ｇ）＋Ｚ（Ｂ−Ｇ）｝
Ｘ：Ｒ−Ｙ信号のゲイン
Ｚ：Ｒ−Ｙ信号の位相
Ｂ−Ｙ＝Ｘ｛（Ｂ−Ｇ）＋Ｚ（Ｒ−Ｇ）｝
Ｘ：Ｂ−Ｙ信号のゲイン
Ｚ：Ｂ−Ｙ信号の位相
上記Ｂ−Ｙ，Ｒ−Ｙ座標系における第１象限上のＲ−Ｙ信号に対するゲイン及び位相と、Ｂ−Ｙ信号に対するゲイン及び位相とを出力する第１のパラメータ出力手段と、
上記Ｂ−Ｙ，Ｒ−Ｙ座標系における第２象限上のＲ−Ｙ信号に対するゲイン及び位相と、Ｂ−Ｙ信号に対するゲイン及び位相とを出力する第２のパラメータ出力手段と、
上記Ｂ−Ｙ，Ｒ−Ｙ座標系における第３象限上のＲ−Ｙ信号に対するゲイン及び位相と、Ｂ−Ｙ信号に対するゲイン及び位相とを出力する第３のパラメータ出力手段と、
上記Ｂ−Ｙ，Ｒ−Ｙ座標系における第４象限上のＲ−Ｙ信号に対するゲイン及び位相と、Ｂ−Ｙ信号に対するゲイン及び位相とを出力する第４のパラメータ出力手段と、
上記第１のパラメータ出力手段，第２のパラメータ出力手段，第３のパラメータ出力手段，及び第４のパラメータ出力手段からのゲイン及び位相の何れか１つを切換選択し、選択したゲイン又は位相を上記第２の色差信号生成手段に供給する選択手段と、
上記第１の色差信号生成手段からのＲ−Ｇ信号及びＢ−Ｇ信号に基づいて、上記選択手段を制御する制御手段とからなり、
上記制御手段は、
上記第１の色差信号生成手段から供給された信号がＲ−Ｙ信号変換用又はＢ−Ｙ信号変換用のいずれのものであるか、かつ、供給された信号自体がＲ−Ｇ信号又はＢ−Ｇ信号いずれであるかを判定し、Ｒ−Ｙ信号変換用のＲ−Ｇ信号が供給されたと判定したとき、又は、Ｂ−Ｙ信号変換用のＢ−Ｇ信号が供給されたと判定したときは、ゲイン調整を選択し、Ｂ−Ｙ信号変換用のＢ−Ｇ信号が供給されたと判定したとき、又は、Ｂ−Ｙ信号変換用のＲ−Ｇ信号が供給されたと判定したときは、位相を選択する位相・ゲイン判定手段と、
上記第１の色差信号生成手段から供給されたＲ−Ｇ信号又はＢ−Ｇ信号が、Ｒ−Ｙ信号変換用のＲ−Ｇ信号であるかＢ−Ｙ変換用のＢ−Ｇ信号であるかを判定するＲ−Ｙ／Ｂ−Ｙ判定手段と、
上記第１の色差信号生成手段から供給されたＲ−Ｇ信号，Ｂ−Ｇ信号の符号に基づいて、ゲイン・位相の色差信号の調整をどの象限において行うかを判断する象限判定手段とを備え、
上記第１の色差信号生成手段からのＲ−Ｇ信号及びＢ−Ｇ信号の符号がともに正であり、かつ、上記Ｒ−Ｇ信号及びＢ−Ｇ信号がＲ−Ｙ信号に対するゲインを示しているとき、上記第１象限のＲ−Ｙ信号に対するゲインを出力するように、上記選択手段を制御し、
上記第１の色差信号生成手段からのＲ−Ｇ信号及びＢ−Ｇ信号の符号がともに正であり、かつ、上記Ｒ−Ｇ信号及びＢ−Ｇ信号がＢ−Ｙ信号に対するゲインを示しているとき、上記第１象限のＢ−Ｙ信号に対するゲインを出力するように、上記選択手段を制御し、
上記第１の色差信号生成手段からのＲ−Ｇ信号及びＢ−Ｇ信号の符号がともに正であり、かつ、上記Ｒ−Ｇ信号及びＢ−Ｇ信号がＲ−Ｙ信号に対する位相を示しているとき、上記第１象限のＲ−Ｙ信号に対する位相を出力するように、上記選択手段を制御し、
上記第１の色差信号生成手段からのＲ−Ｇ信号及びＢ−Ｇ信号の符号がともに正であり、かつ、上記Ｒ−Ｇ信号及びＢ−Ｇ信号がＢ−Ｙ信号に対する位相を示しているとき、上記第１象限のＢ−Ｙ信号に対する位相を出力するように、上記選択手段を制御し、
上記第１の色差信号生成手段からのＲ−Ｇ信号の符号が正でＢ−Ｇ信号の符号が負であり、かつ、上記Ｒ−Ｇ信号及びＢ−Ｇ信号がＲ−Ｙ信号に対するゲインを示しているとき、上記第２象限のＲ−Ｙ信号に対するゲインを出力するように、上記選択手段を制御し、
上記第１の色差信号生成手段からのＲ−Ｇ信号の符号が正でＢ−Ｇ信号の符号が負であり、かつ、上記Ｒ−Ｇ信号及びＢ−Ｇ信号がＢ−Ｙ信号に対するゲインを示しているとき、上記第２象限のＢ−Ｙ信号に対するゲインを出力するように、上記選択手段を制御し、
上記第１の色差信号生成手段からのＲ−Ｇ信号の符号が正でＢ−Ｇ信号の符号が負であり、かつ、上記Ｒ−Ｇ信号及びＢ−Ｇ信号がＲ−Ｙ信号に対する位相を示しているとき、上記第２象限のＲ−Ｙ信号に対する位相を出力するように、上記選択手段を制御し、
上記第１の色差信号生成手段からのＲ−Ｇ信号の符号が正でＢ−Ｇ信号の符号が負であり、かつ、上記Ｒ−Ｇ信号及びＢ−Ｇ信号がＢ−Ｙ信号に対する位相を示しているとき、上記第２象限のＢ−Ｙ信号に対する位相を出力するように、上記選択手段を制御し、
上記第１の色差信号生成手段からのＲ−Ｇ信号及びＢ−Ｇ信号の符号がともに負であり、かつ、上記Ｒ−Ｇ信号及びＢ−Ｇ信号がＲ−Ｙ信号に対するゲインを示しているとき、上記第３象限のＲ−Ｙ信号に対するゲインを出力するように、上記選択手段を制御し、
上記第１の色差信号生成手段からのＲ−Ｇ信号及びＢ−Ｇ信号の符号がともに負であり、かつ、上記Ｒ−Ｇ信号及びＢ−Ｇ信号がＢ−Ｙ信号に対するゲインを示しているとき、上記第３象限のＢ−Ｙ信号に対するゲインを出力するように、上記選択手段を制御し、
上記第１の色差信号生成手段からのＲ−Ｇ信号及びＢ−Ｇ信号の符号がともに負であり、かつ、上記Ｒ−Ｇ信号及びＢ−Ｇ信号がＲ−Ｙ信号に対する位相を示しているとき、上記第３象限のＲ−Ｙ信号に対する位相を出力するように、上記選択手段を制御し、
上記第１の色差信号生成手段からのＲ−Ｇ信号及びＢ−Ｇ信号の符号がともに負であり、かつ、上記Ｒ−Ｇ信号及びＢ−Ｇ信号がＢ−Ｙ信号に対する位相を示しているとき、上記第３象限のＢ−Ｙ信号に対する位相を出力するように、上記選択手段を制御し、
上記第１の色差信号生成手段からのＲ−Ｇ信号の符号が負でＢ−Ｇ信号の符号が正であり、かつ、上記Ｒ−Ｇ信号及びＢ−Ｇ信号がＲ−Ｙ信号に対するゲインを示しているとき、上記第４象限のＲ−Ｙ信号に対するゲインを出力するように、上記選択手段を制御し、
上記第１の色差信号生成手段からのＲ−Ｇ信号の符号が負でＢ−Ｇ信号の符号が正であり、かつ、上記Ｒ−Ｇ信号及びＢ−Ｇ信号がＢ−Ｙ信号に対するゲインを示しているとき、上記第４象限のＢ−Ｙ信号に対するゲインを出力するように、上記選択手段を制御し、
上記第１の色差信号生成手段からのＲ−Ｇ信号の符号が負でＢ−Ｇ信号の符号が正であり、かつ、上記Ｒ−Ｇ信号及びＢ−Ｇ信号がＲ−Ｙ信号に対する位相を示しているとき、上記第４象限のＲ−Ｙ信号に対する位相を出力するように、上記選択手段を制御し、
上記第１の色差信号生成手段からのＲ−Ｇ信号の符号が負でＢ−Ｇ信号の符号が正であり、かつ、上記Ｒ−Ｇ信号及びＢ−Ｇ信号がＢ−Ｙ信号に対する位相を示しているとき、上記第４象限のＢ−Ｙ信号に対する位相を出力するように、上記選択手段を制御することを特徴とするカメラ装置。
【発明の詳細な説明】
【０００１】
【発明の属する技術分野】
本発明は、カメラ装置等に用いられる色信号調整装置及びカメラ装置に関する。
【０００２】
【従来の技術】
被写体を撮像して得た赤（Ｒ），緑（Ｇ），青（Ｂ）の色信号に例えばクロマ信号処理を施して、Ｒ−Ｙ及びＢ−Ｙの色差信号を生成するカメラ装置がある。このカメラ装置では、具体的には、Ｒ−Ｙ信号及びＢ−Ｙ信号は、以下の式により求められる。
【０００３】
Ｒ−Ｙ＝Ｘ｛（Ｒ−Ｇ）＋Ｚ（Ｂ−Ｇ）｝
Ｘ：Ｒ−Ｙ信号のゲインＺ：Ｒ−Ｙ信号の位相Ｂ−Ｙ＝Ｘ｛（Ｂ−Ｇ）＋Ｚ（Ｒ−Ｇ）｝
Ｘ：Ｂ−Ｙ信号のゲインＺ：Ｂ−Ｙ信号の位相
したがって、かかる色信号を用いて色信号調整を行う場合、まず、パラメータであるＲ−Ｇ信号とＢ−Ｇ信号の符号が判別され、これらの信号がＲ−Ｙ信号を定義するものであるか、Ｒ−Ｇ信号を定義するものであるかが判断されてから、Ｘ，Ｚの係数が決定される。すなわち、Ｒ−Ｙ信号は、Ｒ−Ｇ信号の符号が正のときはゲインが正に、その符号が負であるときはゲインが負になり、また、Ｂ−Ｇ信号の符号が正のときは位相が正に、その符号が負であるときは位相が負になる。
【０００４】
同様に、Ｂ−Ｙ信号は、Ｒ−Ｇ信号の符号が正のときは位相が正に、その符号が負であるときは位相が負になり、また、Ｂ−Ｇ信号の符号が正のときはゲインが正に、その符号が負であるときはゲインが負になる。
【０００５】
そして、このようにゲイン及び位相の符号が決定された後、Ｘ，Ｚが設定される。
【０００６】
【発明が解決しようとする課題】
ところが、Ｒ−Ｙ信号とＢ−Ｙ信号は上述のようにＲ−Ｇ信号及びＢ−Ｇ信号をパラメータとしているため、例えばＲ−Ｙ信号のゲインを大きくすると、Ｂ−Ｙ信号の位相が大きくなってしまい、調整したくない位相やゲインまでが変化してしまう問題が生じた。
【０００７】
また、上述のように、Ｒ−Ｙ信号とＢ−Ｙ信号のパラメータは全部で８つあり、各パラメータは例えば１ビットとすると、常時８ビットのデータが必要となる。従って、一画素毎に上記８つの色差信号を用いた色信号調整を行うと、情報量が多過ぎて、各パラメータの転送スピードが遅くなる問題が生じた。
【０００８】
本発明は、上述の実情を鑑みてなされたものであり、特定の色信号を調整することができ、少ない情報量で色信号調整を行うことができる色信号調整回路を提供することを目的とする。
【０００９】
【課題を解決するための手段】
上述の課題を解決するために、本発明に係る色信号調整装置は、Ｒ信号，Ｇ信号，Ｂ信号からＲ−Ｇ信号，Ｂ−Ｇ信号を生成する第１の色差信号生成手段と、Ｂ−Ｙ信号を横軸とし、Ｒ−Ｙ信号を縦軸としたＢ−Ｙ，Ｒ−Ｙ座標系であって、上記第１の色差信号生成手段からのＲ−Ｇ信号，Ｂ−Ｇ信号を用い、下記の式によりＲ−Ｙ信号，Ｂ−Ｙ信号を生成する第２の色差信号生成手段と、
Ｒ−Ｙ＝Ｘ｛（Ｒ−Ｇ）＋Ｚ（Ｂ−Ｇ）｝
Ｘ：Ｒ−Ｙ信号のゲイン
Ｚ：Ｒ−Ｙ信号の位相
Ｂ−Ｙ＝Ｘ｛（Ｂ−Ｇ）＋Ｚ（Ｒ−Ｇ）｝
Ｘ：Ｂ−Ｙ信号のゲイン
Ｚ：Ｂ−Ｙ信号の位相
上記Ｂ−Ｙ，Ｒ−Ｙ座標系における第１象限上のＲ−Ｙ信号に対するゲイン及び位相と、Ｂ−Ｙ信号に対するゲイン及び位相とを出力する第１のパラメータ出力手段と、
上記Ｂ−Ｙ，Ｒ−Ｙ座標系における第２象限上のＲ−Ｙ信号に対するゲイン及び位相と、Ｂ−Ｙ信号に対するゲイン及び位相とを出力する第２のパラメータ出力手段と、
上記Ｂ−Ｙ，Ｒ−Ｙ座標系における第３象限上のＲ−Ｙ信号に対するゲイン及び位相と、Ｂ−Ｙ信号に対するゲイン及び位相とを出力する第３のパラメータ出力手段と、
上記Ｂ−Ｙ，Ｒ−Ｙ座標系における第４象限上のＲ−Ｙ信号に対するゲイン及び位相と、Ｂ−Ｙ信号に対するゲイン及び位相とを出力する第４のパラメータ出力手段と、
上記第１のパラメータ出力手段，第２のパラメータ出力手段，第３のパラメータ出力手段，及び第４のパラメータ出力手段からのゲイン及び位相の何れか１つを切換選択し、選択したゲイン又は位相を上記第２の色差信号生成手段に供給する選択手段と、
上記第１の色差信号生成手段からのＲ−Ｇ信号及びＢ−Ｇ信号に基づいて、上記選択手段を制御する制御手段とからなり、
上記制御手段は、
上記第１の色差信号生成手段から供給された信号がＲ−Ｙ信号変換用又はＢ−Ｙ信号変換用のいずれのものであるか、かつ、供給された信号自体がＲ−Ｇ信号又はＢ−Ｇ信号いずれであるかを判定し、Ｒ−Ｙ信号変換用のＲ−Ｇ信号が供給されたと判定したとき、又は、Ｂ−Ｙ信号変換用のＢ−Ｇ信号が供給されたと判定したときは、ゲイン調整を選択し、Ｂ−Ｙ信号変換用のＢ−Ｇ信号が供給されたと判定したとき、又は、Ｂ−Ｙ信号変換用のＲ−Ｇ信号が供給されたと判定したときは、位相を選択する位相・ゲイン判定手段と、
上記第１の色差信号生成手段から供給されたＲ−Ｇ信号又はＢ−Ｇ信号が、Ｒ−Ｙ信号変換用のＲ−Ｇ信号であるかＢ−Ｙ変換用のＢ−Ｇ信号であるかを判定するＲ−Ｙ／Ｂ−Ｙ判定手段と、
上記第１の色差信号生成手段から供給されたＲ−Ｇ信号，Ｂ−Ｇ信号の符号に基づいて、ゲイン・位相の色差信号の調整をどの象限において行うかを判断する象限判定手段とを備え、
上記第１の色差信号生成手段からのＲ−Ｇ信号及びＢ−Ｇ信号の符号がともに正であり、かつ、上記Ｒ−Ｇ信号及びＢ−Ｇ信号がＲ−Ｙ信号に対するゲインを示しているとき、上記第１象限のＲ−Ｙ信号に対するゲインを出力するように、上記選択手段を制御し、
上記第１の色差信号生成手段からのＲ−Ｇ信号及びＢ−Ｇ信号の符号がともに正であり、かつ、上記Ｒ−Ｇ信号及びＢ−Ｇ信号がＢ−Ｙ信号に対するゲインを示しているとき、上記第１象限のＢ−Ｙ信号に対するゲインを出力するように、上記選択手段を制御し、
上記第１の色差信号生成手段からのＲ−Ｇ信号及びＢ−Ｇ信号の符号がともに正であり、かつ、上記Ｒ−Ｇ信号及びＢ−Ｇ信号がＲ−Ｙ信号に対する位相を示しているとき、上記第１象限のＲ−Ｙ信号に対する位相を出力するように、上記選択手段を制御し、
上記第１の色差信号生成手段からのＲ−Ｇ信号及びＢ−Ｇ信号の符号がともに正であり、かつ、上記Ｒ−Ｇ信号及びＢ−Ｇ信号がＢ−Ｙ信号に対する位相を示しているとき、上記第１象限のＢ−Ｙ信号に対する位相を出力するように、上記選択手段を制御し、
上記第１の色差信号生成手段からのＲ−Ｇ信号の符号が正でＢ−Ｇ信号の符号が負であり、かつ、上記Ｒ−Ｇ信号及びＢ−Ｇ信号がＲ−Ｙ信号に対するゲインを示しているとき、上記第２象限のＲ−Ｙ信号に対するゲインを出力するように、上記選択手段を制御し、
上記第１の色差信号生成手段からのＲ−Ｇ信号の符号が正でＢ−Ｇ信号の符号が負であり、かつ、上記Ｒ−Ｇ信号及びＢ−Ｇ信号がＢ−Ｙ信号に対するゲインを示しているとき、上記第２象限のＢ−Ｙ信号に対するゲインを出力するように、上記選択手段を制御し、
上記第１の色差信号生成手段からのＲ−Ｇ信号の符号が正でＢ−Ｇ信号の符号が負であり、かつ、上記Ｒ−Ｇ信号及びＢ−Ｇ信号がＲ−Ｙ信号に対する位相を示しているとき、上記第２象限のＲ−Ｙ信号に対する位相を出力するように、上記選択手段を制御し、
上記第１の色差信号生成手段からのＲ−Ｇ信号の符号が正でＢ−Ｇ信号の符号が負であり、かつ、上記Ｒ−Ｇ信号及びＢ−Ｇ信号がＢ−Ｙ信号に対する位相を示しているとき、上記第２象限のＢ−Ｙ信号に対する位相を出力するように、上記選択手段を制御し、
上記第１の色差信号生成手段からのＲ−Ｇ信号及びＢ−Ｇ信号の符号がともに負であり、かつ、上記Ｒ−Ｇ信号及びＢ−Ｇ信号がＲ−Ｙ信号に対するゲインを示しているとき、上記第３象限のＲ−Ｙ信号に対するゲインを出力するように、上記選択手段を制御し、
上記第１の色差信号生成手段からのＲ−Ｇ信号及びＢ−Ｇ信号の符号がともに負であり、かつ、上記Ｒ−Ｇ信号及びＢ−Ｇ信号がＢ−Ｙ信号に対するゲインを示しているとき、上記第３象限のＢ−Ｙ信号に対するゲインを出力するように、上記選択手段を制御し、
上記第１の色差信号生成手段からのＲ−Ｇ信号及びＢ−Ｇ信号の符号がともに負であり、かつ、上記Ｒ−Ｇ信号及びＢ−Ｇ信号がＲ−Ｙ信号に対する位相を示しているとき、上記第３象限のＲ−Ｙ信号に対する位相を出力するように、上記選択手段を制御し、
上記第１の色差信号生成手段からのＲ−Ｇ信号及びＢ−Ｇ信号の符号がともに負であり、かつ、上記Ｒ−Ｇ信号及びＢ−Ｇ信号がＢ−Ｙ信号に対する位相を示しているとき、上記第３象限のＢ−Ｙ信号に対する位相を出力するように、上記選択手段を制御し、
上記第１の色差信号生成手段からのＲ−Ｇ信号の符号が負でＢ−Ｇ信号の符号が正であり、かつ、上記Ｒ−Ｇ信号及びＢ−Ｇ信号がＲ−Ｙ信号に対するゲインを示しているとき、上記第４象限のＲ−Ｙ信号に対するゲインを出力するように、上記選択手段を制御し、
上記第１の色差信号生成手段からのＲ−Ｇ信号の符号が負でＢ−Ｇ信号の符号が正であり、かつ、上記Ｒ−Ｇ信号及びＢ−Ｇ信号がＢ−Ｙ信号に対するゲインを示しているとき、上記第４象限のＢ−Ｙ信号に対するゲインを出力するように、上記選択手段を制御し、
上記第１の色差信号生成手段からのＲ−Ｇ信号の符号が負でＢ−Ｇ信号の符号が正であり、かつ、上記Ｒ−Ｇ信号及びＢ−Ｇ信号がＲ−Ｙ信号に対する位相を示しているとき、上記第４象限のＲ−Ｙ信号に対する位相を出力するように、上記選択手段を制御し、
上記第１の色差信号生成手段からのＲ−Ｇ信号の符号が負でＢ−Ｇ信号の符号が正であり、かつ、上記Ｒ−Ｇ信号及びＢ−Ｇ信号がＢ−Ｙ信号に対する位相を示しているとき、上記第４象限のＢ−Ｙ信号に対する位相を出力するように、上記選択手段を制御することを特徴とする。
また、本発明に係るカメラ装置は、イメージセンサが撮像信号として生成した被写体の撮像光に応じたＲ信号、Ｇ信号、Ｂ信号からＲ−Ｇ信号、Ｂ−Ｇ信号を生成する第１の色差信号生成手段と、Ｂ−Ｙ信号を横軸とし、Ｒ−Ｙ信号を縦軸としたＢ−Ｙ，Ｒ−Ｙ座標系において、上記第１の色差信号生成手段からのＲ−Ｇ信号，Ｂ−Ｇ信号を用い、上記Ｂ−Ｙ信号に対するゲインと位相及び上記Ｒ−Ｙ信号に対するゲインと位相を示すそれぞれの係数を含む下記の式によりＲ−Ｙ信号、Ｂ−Ｙ信号を生成する第２の色差信号生成手段と、
Ｒ−Ｙ＝Ｘ｛（Ｒ−Ｇ）＋Ｚ（Ｂ−Ｇ）｝
Ｘ：Ｒ−Ｙ信号のゲイン
Ｚ：Ｒ−Ｙ信号の位相
Ｂ−Ｙ＝Ｘ｛（Ｂ−Ｇ）＋Ｚ（Ｒ−Ｇ）｝
Ｘ：Ｂ−Ｙ信号のゲイン
Ｚ：Ｂ−Ｙ信号の位相
上記Ｂ−Ｙ，Ｒ−Ｙ座標系における第１象限上のＲ−Ｙ信号に対するゲイン及び位相と、Ｂ−Ｙ信号に対するゲイン及び位相とを出力する第１のパラメータ出力手段と、上記Ｂ−Ｙ，Ｒ−Ｙ座標系における第２象限上のＲ−Ｙ信号に対するゲイン及び位相と、Ｂ−Ｙ信号に対するゲイン及び位相とを出力する第２のパラメータ出力手段と、上記Ｂ−Ｙ，Ｒ−Ｙ座標系における第３象限上のＲ−Ｙ信号に対するゲイン及び位相と、Ｂ−Ｙ信号に対するゲイン及び位相とを出力する第３のパラメータ出力手段と、上記Ｂ−Ｙ，Ｒ−Ｙ座標系における第４象限上のＲ−Ｙ信号に対するゲイン及び位相と、Ｂ−Ｙ信号に対するゲイン及び位相とを出力する第４のパラメータ出力手段と、上記第１のパラメータ出力手段，第２のパラメータ出力手段，第３のパラメータ出力手段，及び第４のパラメータ出力手段からのゲイン及び位相の何れか１つを切換選択し、選択したゲイン又は位相を上記第２の色差信号生成手段に供給する選択手段と、上記第１の色差信号生成手段からのＲ−Ｇ信号及びＢ−Ｇ信号に基づいて、上記選択手段を制御する制御手段とからなり、上記制御手段は、上記第１の色差信号生成手段から供給された信号がＲ−Ｙ信号変換用又はＢ−Ｙ信号変換用のいずれのものであるか、かつ、供給された信号自体がＲ−Ｇ信号又はＢ−Ｇ信号いずれであるかを判定し、Ｒ−Ｙ信号変換用のＲ−Ｇ信号が供給されたと判定したとき、又は、Ｂ−Ｙ信号変換用のＢ−Ｇ信号が供給されたと判定したときは、ゲイン調整を選択し、Ｂ−Ｙ信号変換用のＢ−Ｇ信号が供給されたと判定したとき、又は、Ｂ−Ｙ信号変換用のＲ−Ｇ信号が供給されたと判定したときは、位相を選択する位相・ゲイン判定手段と、上記第１の色差信号生成手段から供給されたＲ−Ｇ信号又はＢ−Ｇ信号が、Ｒ−Ｙ信号変換用のＲ−Ｇ信号であるかＢ−Ｙ変換用のＢ−Ｇ信号であるかを判定するＲ−Ｙ／Ｂ−Ｙ判定手段と、上記第１の色差信号生成手段から供給されたＲ−Ｇ信号，Ｂ−Ｇ信号の符号に基づいて、ゲイン・位相の色差信号の調整をどの象限において行うかを判断する象限判定手段とを備え、上記第１の色差信号生成手段からのＲ−Ｇ信号及びＢ−Ｇ信号の符号がともに正であり、かつ、上記Ｒ−Ｇ信号及びＢ−Ｇ信号がＲ−Ｙ信号に対するゲインを示しているとき、上記第１象限のＲ−Ｙ信号に対するゲインを出力するように、上記選択手段を制御し、上記第１の色差信号生成手段からのＲ−Ｇ信号及びＢ−Ｇ信号の符号がともに正であり、かつ、上記Ｒ−Ｇ信号及びＢ−Ｇ信号がＢ−Ｙ信号に対するゲインを示しているとき、上記第１象限のＢ−Ｙ信号に対するゲインを出力するように、上記選択手段を制御し、上記第１の色差信号生成手段からのＲ−Ｇ信号及びＢ−Ｇ信号の符号がともに正であり、かつ、上記Ｒ−Ｇ信号及びＢ−Ｇ信号がＲ−Ｙ信号に対する位相を示しているとき、上記第１象限のＲ−Ｙ信号に対する位相を出力するように、上記選択手段を制御し、上記第１の色差信号生成手段からのＲ−Ｇ信号及びＢ−Ｇ信号の符号がともに正であり、かつ、上記Ｒ−Ｇ信号及びＢ−Ｇ信号がＢ−Ｙ信号に対する位相を示しているとき、上記第１象限のＢ−Ｙ信号に対する位相を出力するように、上記選択手段を制御し、上記第１の色差信号生成手段からのＲ−Ｇ信号の符号が正でＢ−Ｇ信号の符号が負であり、かつ、上記Ｒ−Ｇ信号及びＢ−Ｇ信号がＲ−Ｙ信号に対するゲインを示しているとき、上記第２象限のＲ−Ｙ信号に対するゲインを出力するように、上記選択手段を制御し、上記第１の色差信号生成手段からのＲ−Ｇ信号の符号が正でＢ−Ｇ信号の符号が負であり、かつ、上記Ｒ−Ｇ信号及びＢ−Ｇ信号がＢ−Ｙ信号に対するゲインを示しているとき、上記第２象限のＢ−Ｙ信号に対するゲインを出力するように、上記選択手段を制御し、上記第１の色差信号生成手段からのＲ−Ｇ信号の符号が正でＢ−Ｇ信号の符号が負であり、かつ、上記Ｒ−Ｇ信号及びＢ−Ｇ信号がＲ−Ｙ信号に対する位相を示しているとき、上記第２象限のＲ−Ｙ信号に対する位相を出力するように、上記選択手段を制御し、上記第１の色差信号生成手段からのＲ−Ｇ信号の符号が正でＢ−Ｇ信号の符号が負であり、かつ、上記Ｒ−Ｇ信号及びＢ−Ｇ信号がＢ−Ｙ信号に対する位相を示しているとき、上記第２象限のＢ−Ｙ信号に対する位相を出力するように、上記選択手段を制御し、上記第１の色差信号生成手段からのＲ−Ｇ信号及びＢ−Ｇ信号の符号がともに負であり、かつ、上記Ｒ−Ｇ信号及びＢ−Ｇ信号がＲ−Ｙ信号に対するゲインを示しているとき、上記第３象限のＲ−Ｙ信号に対するゲインを出力するように、上記選択手段を制御し、上記第１の色差信号生成手段からのＲ−Ｇ信号及びＢ−Ｇ信号の符号がともに負であり、かつ、上記Ｒ−Ｇ信号及びＢ−Ｇ信号がＢ−Ｙ信号に対するゲインを示しているとき、上記第３象限のＢ−Ｙ信号に対するゲインを出力するように、上記選択手段を制御し、上記第１の色差信号生成手段からのＲ−Ｇ信号及びＢ−Ｇ信号の符号がともに負であり、かつ、上記Ｒ−Ｇ信号及びＢ−Ｇ信号がＲ−Ｙ信号に対する位相を示しているとき、上記第３象限のＲ−Ｙ信号に対する位相を出力するように、上記選択手段を制御し、上記第１の色差信号生成手段からのＲ−Ｇ信号及びＢ−Ｇ信号の符号がともに負であり、かつ、上記Ｒ−Ｇ信号及びＢ−Ｇ信号がＢ−Ｙ信号に対する位相を示しているとき、上記第３象限のＢ−Ｙ信号に対する位相を出力するように、上記選択手段を制御し、上記第１の色差信号生成手段からのＲ−Ｇ信号の符号が負でＢ−Ｇ信号の符号が正であり、かつ、上記Ｒ−Ｇ信号及びＢ−Ｇ信号がＲ−Ｙ信号に対するゲインを示しているとき、上記第４象限のＲ−Ｙ信号に対するゲインを出力するように、上記選択手段を制御し、上記第１の色差信号生成手段からのＲ−Ｇ信号の符号が負でＢ−Ｇ信号の符号が正であり、かつ、上記Ｒ−Ｇ信号及びＢ−Ｇ信号がＢ−Ｙ信号に対するゲインを示しているとき、上記第４象限のＢ−Ｙ信号に対するゲインを出力するように、上記選択手段を制御し、上記第１の色差信号生成手段からのＲ−Ｇ信号の符号が負でＢ−Ｇ信号の符号が正であり、かつ、上記Ｒ−Ｇ信号及びＢ−Ｇ信号がＲ−Ｙ信号に対する位相を示しているとき、上記第４象限のＲ−Ｙ信号に対する位相を出力するように、上記選択手段を制御し、上記第１の色差信号生成手段からのＲ−Ｇ信号の符号が負でＢ−Ｇ信号の符号が正であり、かつ、上記Ｒ−Ｇ信号及びＢ−Ｇ信号がＢ−Ｙ信号に対する位相を示しているとき、上記第４象限のＢ−Ｙ信号に対する位相を出力するように、上記選択手段を制御することを特徴とする。
【００１０】
【発明の実施の形態】
以下、本発明の実施の形態について、図面を参照しながら説明する。本発明は、１画素毎に色信号調整を行うことができる色信号調整回路である。
【００１１】
本発明を適用したカメラ装置は、例えば図１に示すように、生成した撮像信号を出力するとともに、１Ｈ（１水平走査周期）遅延した撮像信号も出力する撮像信号処理部１０と、供給された撮像信号からＹ信号（輝度信号）を生成するＹ信号処理部２０と、Ｙ信号処理部２０の信号処理を行う輝度ＳＩＯ（Serial I/O Interface）２８と、供給された撮像信号及び１Ｈ遅延した撮像信号からＣ信号（搬送色信号）を生成するＣ信号処理部３０と、Ｃ信号処理部３０の信号処理を行うクロマＳＩＯ４１と、図示しない操作部の操作に基づいて、輝度ＳＩＯ２８及びクロマＳＩＯ４１の動作を制御するマイクロコンピュータ（以下、マイコンという）５０とを備える。
【００１２】
撮像信号処理部１０は、例えば図１に示すように、ＣＣＤイメージセンサ１１と、ＡＧＣ回路（Automatic Gain Control：自動利得制御回路）１２と、Ａ／Ｄコンバータ１３と、遅延回路１４とを備える。
【００１３】
ＣＣＤイメージセンサ１１は、被写体の撮像光に応じた撮像信号を生成し、この撮像信号を図示しないサンプルホールド回路に供給する。このサンプルホールド回路は、供給された撮像信号をサンプルホールドし、いわゆるランダム雑音を低減して、撮像信号をＡＧＣ回路１２に供給する。ＡＧＣ回路１２は、撮像信号のレベルの差分を検出して、撮像信号のゲインを調整する。Ａ／Ｄコンバータ１３は、ＡＧＣ回路１２からの撮像信号をディジタル信号に変換して、撮像データを遅延回路１４に供給する。
【００１４】
遅延回路１４は、撮像データをＹ信号処理部２０及びＣ信号処理部３０に供給するとともに、１Ｈ遅延した撮像データをＣ信号処理部３０に供給する。
【００１５】
Ｙ信号処理部２０は、例えば図１に示すように、ＬＰＦ（Low Pass Filter）２１と、ガンマ補正回路２２と、ホワイトクリップ回路２３と、ブランキング挿入回路２４と、同期付加回路２５と、遅延回路２６と、Ｄ／Ａコンバータ２７とを備える。
【００１６】
ＬＰＦ２１は、撮像信号処理部１０からの撮像データに含まれるＹ信号を取り出して、このＹ信号をガンマ補正回路２２に供給する。ガンマ補正回路２２は、Ｙ信号のガンマ補正を行い、このＹ信号をホワイトクリップ回路２３に供給する。ホワイトクリップ回路２３は、例えば標準レベルの４倍で供給されるＹ信号を1.1〜 1.3倍までに圧縮し、Ｙ信号をブランキング挿入回路２４に供給する。ブランキング挿入回路２４は、帰線期間に畳重されている不要な飛び込み信号を除去すべく、Ｙ信号のブランキング期間を黒レベルより十分引き下げてから、ブラッククリップ処理を施し、このＹ信号を同期付加回路２５に供給する。同期付加回路２５は、Ｙ信号に同期信号を付加し、遅延回路２６に供給する。遅延回路２６は、Ｃ信号処理部３０から出力されるＣ信号との位相を合わせるようにＹ信号に所定の遅延を施し、Ｄ／Ａコンバータ２７を介して、アナログ変換されたＹ信号を出力する。
【００１７】
なお、輝度ＳＩＯ２８は、マイコン５０の制御に基づいて、Ｙ信号処理部２０におけるガンマ補正，ホワイトクリップ，ブランキング挿入等の上述の動作制御を行っている。
【００１８】
Ｃ信号処理部３０は、例えば図１に示すように、ＬＰＦ３１と、ＹＣマトリクス回路３２と、ＲＧＢマトリクス回路３３と、ホワイトバランス調整回路３４と、ガンマ補正回路３５と、位相・ゲインコントロール回路３６と、ブランキング挿入回路３７と、エンコーダ３８と、遅延回路３９と、Ｄ／Ａコンバータ４０とを備える。
【００１９】
ＬＰＦ３１は、上述の１Ｈずれたそれぞれ撮像データの不要な周波数帯域の成分を除去する。ＹＣマトリクス回路３２は、ＬＰＦ３１からの１Ｈずれたそれぞれの撮像データからＹ信号及びＣ信号を生成し、それぞれＲＧＢマトリクス回路３３に供給する。ＲＧＢマトリクス回路３３は、Ｙ信号及びＣ信号からＲ（赤），Ｇ（緑），Ｂ（青）の各色信号を生成し、ホワイトバランス調整回路３４に供給する。ホワイトバランス調整回路３４は、異なった色温度での白被写体の撮像時に画像が劣化するのを防止するため、白い被写体を撮像して得られた各色信号の比が１：１：１になるように調整し、これら各色信号をガンマ補正回路３５に供給する。ガンマ補正回路３５は、Ｒ，Ｇ，Ｂの各色信号をガンマ補正し、これらを位相・ゲインコントロール回路３６に供給する。位相・ゲインコントロール回路３６は、詳しくは後述するが、各色信号から所定の色差信号を生成するとともに、色信号調整を行うべく、前記色差信号を座標軸にして位相及びゲインを調整する。ブランキング挿入回路３７は、色信号調整された色差信号のブランキング期間を黒レベルより十分引き下げてブランキングを挿入し、この色差信号をエンコーダ３８に供給する。エンコーダ３８は、所定の色差信号から例えばＮＴＳＣ（National Television System Commitee ）方式のＣ信号を生成し、これを遅延回路３９に供給する。遅延回路３９は、上記Ｙ信号と同期するようにＣ信号に所定の遅延を施し、Ｄ／Ａコンバータ４０を介して、色信号調整されたＣ信号を出力する。
【００２０】
上記位相・ゲインコントロール回路３６は、具体的に図２に示すように、Ｒ、Ｇ、Ｂの各色信号からＲ−Ｇ信号，Ｂ−Ｇ信号を生成するＲ−Ｇ／Ｂ−Ｇ変換回路３６Ａと、上記Ｒ−Ｇ信号，Ｂ−Ｇ信号を式（１），式（２）によりＲ−Ｙ信号，Ｂ−Ｙ信号を生成する位相・ゲイン調整回路３６Ｂとを備える。
【００２１】
Ｒ−Ｙ＝Ｘ｛（Ｒ−Ｇ）＋Ｚ（Ｂ−Ｇ）｝・・・（１）
Ｘ：Ｒ−Ｙ信号のゲイン
Ｚ：Ｒ−Ｙ信号の位相
Ｂ−Ｙ＝Ｘ｛（Ｂ−Ｇ）＋Ｚ（Ｒ−Ｇ）｝・・・（２）
Ｘ：Ｂ−Ｙ信号のゲイン
Ｚ：Ｂ−Ｙ信号の位相
Ｒ−Ｇ／Ｂ−Ｇ変換回路３６Ａは、ガンマ補正回路３５からの各色信号をＲ−Ｇ信号及びＢ−Ｇ信号に変換し、それぞれの色差信号を位相・ゲイン調整回路３６Ｂに供給する。位相・ゲイン調整回路３６Ｂは、クロマＳＩＯ４１から後述するＸ，Ｚ信号に基づいて、１画素毎に上記式の演算を行い、Ｒ−Ｙ信号，Ｂ−Ｙ信号を生成する。
【００２２】
ここで、クロマＳＩＯ４１は、マイコン５０の制御に基づいて、上述の輝度ＳＩＯ２８と同様にＣ信号処理部３０におけるホワイトバランス，ガンマ補正等をするのみならず、Ｘ，Ｚ信号を生成し、これを位相・ゲイン調整回路３６Ｂに供給している。
【００２３】
具体的には、上記クロマＳＩＯ４１は、図２に示すように、Ｘ・Ｚ信号生成回路６１と、位相設定回路６２と、ゲイン設定回路６３と、第１象限セレクト回路６４と、第２象限セレクト回路６５と、第３象限セレクト回路６６と、第４象限セレクト回路６７とを備える。
【００２４】
Ｘ・Ｚ信号生成回路６１は、マイコン５０の制御に基づいて、式（１），式（２）で必要なＸ，ＺであるＸ信号，Ｚ信号を生成する。
【００２５】
このマイコン５０は、例えば上記操作部の設定操作により、Ｂ−Ｙ，Ｒ−Ｙ座標系における第１〜第４象限毎に、Ｒ−Ｙ信号のゲインであるＸR ，Ｒ−Ｙ信号の位相であるＺR ，Ｂ−Ｙ信号のゲインであるＸB ，及びＢ−Ｙ信号の位相であるＺB を算出し、この算出結果をＸ・Ｚ信号生成回路６１に供給するようになっている。
【００２６】
したがって、Ｘ・Ｚ信号生成回路６１は、第１象限のＲ−Ｙ信号のゲインであるＸR1信号，Ｒ−Ｙ信号の位相であるＺR1信号，Ｂ−Ｙ信号のゲインであるＸB1信号，及びＢ−Ｙ信号の位相であるＺB1信号をそれぞれ生成し、同様に、第２象限についてはＸR2信号，ＺR2信号，ＸB2信号，ＺB2信号を、第３象限についてはＸR3信号，ＺR3信号，ＸB3信号，ＺB3信号を生成し、第４象限についてはＸR4信号，ＺR4信号，ＸB4信号，ＺB4信号を生成する。Ｘ・Ｚ信号生成回路６１は、これらＸ，Ｚ信号を、それぞれ対応する第１象限パラメータ回路７１，第２象限パラメータ回路７２，第３象限パラメータ回路７３，及び第４象限パラメータ回路７４に供給する。
【００２７】
位相設定回路６２は、上記操作部の操作により位相調整をオフにすると、マイコン５０の制御に基づいて、第１象限パラメータ回路７１，第２象限パラメータ回路７２，第３象限パラメータ回路７３，及び第４象限パラメータ回路７４がＺ信号を出力しないように制御する。
【００２８】
ゲイン設定回路６３は、上記操作部の操作によりゲイン調整をオフにすると、マイコン５０の制御に基づいて、第１象限パラメータ回路７１，第２象限パラメータ回路７２，第３象限パラメータ回路７３，及び第４象限パラメータ回路７４がＸ信号を出力しないように制御する。
【００２９】
第１象限セレクト回路６４は、第１象限の色信号調整を行うべく上記操作部が操作されると、マイコン５０の制御に基づいて、Ｘ・Ｚ信号生成回路６１から供給されたＸ，Ｚ信号を出力するように、第１象限パラメータ回路７１を制御する。
【００３０】
第２象限セレクト回路６５は、第２象限の色信号調整を行うべく上記操作部が操作されると、マイコン５０の制御に基づいて、Ｘ・Ｚ信号生成回路６１から供給されたＸ，Ｚ信号を出力するように、第２象限パラメータ回路７２を制御する。
【００３１】
第３象限セレクト回路６６は、第３象限の色信号調整を行うべく上記操作部が操作されると、マイコン５０の制御に基づいて、Ｘ・Ｚ信号生成回路６１から供給されたＸ，Ｚ信号を出力するように、第３象限パラメータ回路７３を制御する。
【００３２】
第４象限セレクト回路６７は、第４象限の色信号調整を行うべく上記操作部が操作されると、マイコン５０の制御に基づいて、Ｘ・Ｚ信号生成回路６１から供給されたＸ，Ｚ信号を出力するように、第４象限パラメータ回路７４を制御する。
【００３３】
また、上記クロマＳＩＯ４１は、上述した第１象限パラメータ回路７１と、第２象限パラメータ回路７２と、第３象限パラメータ回路７３と、第４象限パラメータ回路７４と、スイッチ７５〜８７と、位相・ゲイン判定回路８８と、Ｒ−Ｙ／Ｂ−Ｙ判定回路８９と、象限判定回路９０とを備える。
【００３４】
第１象限パラメータ回路７１は、位相設定回路６２やゲイン設定回路６３によってＺ信号やＸ信号が出力されないように設定されているときを除き、Ｘ・Ｚ信号生成回路６１からのＸR1信号を例えば端子ａから出力し、ＺR1信号を端子ｂから出力し、ＸB1信号を端子ｃから出力し、ＺB1信号を端子ｄから出力するようになっている。
【００３５】
第２象限パラメータ回路７２は、位相設定回路６２やゲイン設定回路６３によってＺ信号やＸ信号が出力されないように設定されているときを除き、Ｘ・Ｚ信号生成回路６１からのＸR2信号を例えば端子ａから出力し、ＺR2信号を端子ｂから出力し、ＸB2信号を端子ｃから出力し、ＺB2信号を端子ｄから出力するようになっている。
【００３６】
第３象限パラメータ回路７３は、位相設定回路６２やゲイン設定回路６３によってＺ信号やＸ信号が出力されないように設定されているときを除き、Ｘ・Ｚ信号生成回路６１からのＸR3信号を例えば端子ａから出力し、ＺR3信号を端子ｂから出力し、ＸB3信号を端子ｃから出力し、ＺB3信号を端子ｄから出力するようになっている。
【００３７】
第４象限パラメータ回路７４は、位相設定回路６２やゲイン設定回路６３によってＺ信号やＸ信号が出力されないように設定されているときを除き、Ｘ・Ｚ信号生成回路６１からのＸＲ４信号を例えば端子ａから出力し、ＺＲ４信号を端子ｂから出力し、ＸＢ４信号を端子ｃから出力し、ＺＢ４信号を端子ｄから出力するようになっている。
【００３８】
スイッチ７５は、位相・ゲイン判定回路８８の制御に基づいて、第１象限パラメータ回路７１の端子ａ又は端子ｂからの信号を出力する。スイッチ７６は、位相・ゲイン判定回路８８の制御に基づいて、第１象限パラメータ回路７１の端子ｃ又は端子ｄからの信号を出力する。
【００３９】
スイッチ７７は、位相・ゲイン判定回路８８の制御に基づいて、第２象限パラメータ回路７２の端子ａ又は端子ｂからの信号を出力する。スイッチ７８は、位相・ゲイン判定回路８８の制御に基づいて、第２象限パラメータ回路７２の端子ｃ又は端子ｄからの信号を出力する。
【００４０】
スイッチ７９は、位相・ゲイン判定回路８８の制御に基づいて、第３象限パラメータ回路７３の端子ａ又は端子ｂからの信号を出力する。スイッチ８０は、位相・ゲイン判定回路８８の制御に基づいて、第３象限パラメータ回路７３の端子ｃ又は端子ｄからの信号を出力する。
【００４１】
スイッチ８１は、位相・ゲイン判定回路８８の制御に基づいて、第４象限パラメータ回路７４の端子ａ又は端子ｂからの信号を出力する。スイッチ８２は、位相・ゲイン判定回路８８の制御に基づいて、第４象限パラメータ回路７４の端子ｃ又は端子ｄからの信号を出力する。
【００４２】
スイッチ８３は、Ｒ−Ｙ／Ｂ−Ｙ判定回路８９の制御に基づいて、スイッチ７５又はスイッチ７６からの信号を出力する。同様に、スイッチ８４はスイッチ７７又はスイッチ７８からの信号を出力し、スイッチ８５はスイッチ７９又はスイッチ８０からの信号を出力し、スイッチ８６はスイッチ８１又はスイッチ８２からの信号を出力する。
【００４３】
スイッチ８７は、象限判定回路９０の制御に基づいて、スイッチ８３〜８６の何れか１つからの信号を出力する。
【００４４】
位相・ゲイン判定回路８８は、Ｒ−Ｇ／Ｂ−Ｇ変換回路３６Ａから供給されたＲ−Ｇ信号又はＢ−Ｇ信号に基づいて、スイッチ７５〜８２の切換制御を行う。位相・ゲイン判定回路８８は、供給された信号がＲ−Ｙ信号変換用又はＢ−Ｙ信号変換用のいずれのものであるか、かつ、供給された信号自体がＲ−Ｇ信号又はＢ−Ｇ信号いずれであるかを判定する。そして、位相・ゲイン判定回路８８は、Ｒ−Ｙ信号変換用のＲ−Ｇ信号が供給されたと判定したとき、又は、Ｂ−Ｙ信号変換用のＢ−Ｇ信号が供給されたと判定したときは、ゲイン調整を選択し、スイッチ７５，７７，７９，８１を例えば端子ａに設定し、又は、スイッチ７６，７８，８０，８２を例えば端子ｃに設定する。また、位相・ゲイン判定回路８８は、Ｂ−Ｙ信号変換用のＢ−Ｇ信号が供給されたと判定したとき、又は、Ｂ−Ｙ信号変換用のＲ−Ｇ信号が供給されたと判定したときは、位相を選択し、スイッチ７５，７７，７９，８１を例えば端子ｂに設定し、又は、スイッチ７６，７８，８０，８２を例えば端子ｄに設定する。
【００４５】
Ｒ−Ｙ／Ｂ−Ｙ判定回路８９は、位相・ゲインコントロール回路３６から供給されたＲ−Ｇ信号又はＢ−Ｇ信号が、Ｒ−Ｙ信号変換用又はＢ−Ｙ変換用であるかを判定し、Ｒ−Ｙ信号変換用の信号が供給されたときはスイッチ８３〜８６を端子ｅに設定し、Ｂ−Ｙ信号変換用の信号が供給されたときは上記スイッチ８３〜８６を端子ｆに設定する。
【００４６】
象限判定回路９０は、ゲイン・位相の色差信号の調整をどの象限において行うかを判断して、スイッチ８７の切換制御を行う。ここで、象限判定回路９０は、例えば位相・ゲインコントロール回路３６から供給されたＲ−Ｇ信号，Ｂ−Ｇ信号の符号がともに「＋」のときは第１象限と判断し、Ｒ−Ｇ信号の符号が「＋」でＢ−Ｇ信号の符号が「−」のときは第２象限と判断し、Ｒ−Ｇ信号の符号が「−」でＢ−Ｇ信号の符号が「＋」のときは第４象限と判断し、Ｒ−Ｇ信号，Ｂ−Ｇ信号の符号がともに「−」のときは第３象限と判断する。そして、象限判定回路９０は、第１象限の変換であるときはスイッチ８７を端子ｇに、第２象限であるときは端子ｈに、第３象限であるときは端子ｉに、第４象限であるときは端子ｊに設定するようになっている。そして、スイッチ８７から出力されたＸ，Ｚ信号は、位相・ゲイン調整回路３６Ｂに供給される。
【００４７】
すなわち、クロマＳＩＯ４１は、例えば操作部の設定操作によるマイコン５０の制御に基づいて所定の制御信号を生成し、位相・ゲインコントロール回路３６における色差信号の変換の際に、位相又はゲインの演算をしているのか、Ｒ−Ｙ信号又はＢ−Ｙ信号何れを制御するのか、何象限の調整を行うのかを判定して、それら判定条件を満たした最適なＸ，Ｚ信号を１画素毎に位相・ゲイン調整回路３６Ｂに供給する。
【００４８】
したがって、位相・ゲイン調整回路３６Ｂは、スイッチ８７から所定の色信号調整を行うためのＸ，Ｚ信号が供給されることにより、Ｒ−Ｇ信号及びＢ−Ｇ信号からＲ−Ｙ信号及びＢ−Ｙ信号に変換する際に、最適な色信号調整がされた色差信号であるＲ−Ｙ信号及びＢ−Ｙ信号を出力することができる。
【００４９】
以上のように、本発明に係る色信号調整回路は、位相・ゲイン調整回路３６Ｂで色差信号の信号変換を行う前に、正負のＲ−Ｇ信号、正負のＢ−Ｇ信号からなる４つのパラメータを判定することにより、ゲインＸ，位相Ｚを決定し、Ｒ−Ｙ信号，Ｂ−Ｙ信号の色信号調整を行うことができる。
【００５０】
換言すると、上記色信号調整回路は、Ｒ−Ｙ信号，Ｂ−Ｙ信号の変換の際に必要なパラメータを従来に比べ半分にすることができるため、各回路間における通信速度の向上に寄与することができる。
【００５１】
また、上記色信号調整回路は、Ｂ−Ｙ，Ｒ−Ｙ座標系におけるゲイン及び位相の変換を、それぞれの象限毎に独立に制御することが可能となり、ある象限における色信号調整の際に他の象限の色信号調整がされてしまうことがなく、また、同時に複数の象限とゲイン，位相を制御することもできる。
【００５２】
さらに、上記色信号調整回路は、上記座標系におけるゲインのみ，位相のみの調整を行うことができ、また、ゲイン，位相の調整を何れの象限で行うかを設定することができるため、色信号調整の際のユーザの操作の便を図ることができる。
【００５３】
なお、色信号調整回路は、例えば図３に示すように、Ｒ−Ｇ／Ｂ−Ｇ変換回路３６Ａと、位相・ゲイン調整回路３６Ｂと、クロマＳＩＯ４１と、Ｒ−Ｙ／Ｂ−Ｙ４象限調整回路９１と、４象限独立パラメータ設定部９２とを備え、さらに精度のよい色信号調整を行うことができる。ここで、４象限独立パラメータ設定部９２は、クロマＳＩＯ４１と同様に、マイコン５０の制御に基づいて、Ｒ−Ｙ／Ｂ−Ｙ４象限調整回路９１１に供給されるＲ−Ｙ信号，Ｂ−Ｙ信号のゲインＸ，位相Ｚを調整するものである。
【００５４】
したがって、上記色信号調整回路は、Ｒ−Ｇ／Ｂ−Ｇ変換回路３６Ａ，位相・ゲイン調整回路３６Ｂ，クロマＳＩＯ４１で一度色信号調整を行った後、再び、４象限独立パラメータ設定部９２でゲインＸ，位相Ｚの設定を行ってから、Ｒ−Ｙ／Ｂ−Ｙ４象限調整回路９１でＲ−Ｙ信号，Ｂ−Ｙ信号を出力するため、より精度のよい色信号調整を行うことができる。
【００５５】
【発明の効果】
以上詳細に説明したように、本発明に係る色信号調整回路によれば、第２の色差信号生成手段に供給される正負のＲ−Ｇ信号、正負のＢ−Ｇ信号からなる４つのパラメータを判定することにより、ゲインＸ，位相Ｚを決定し、Ｒ−Ｙ信号，Ｂ−Ｙ信号の色信号調整を行うことができる。すなわち、上記色信号調整回路は、Ｒ−Ｙ信号，Ｂ−Ｙ信号の変換の際に必要なパラメータを従来に比べ半分にすることができるため、各回路間における通信速度の向上に寄与することができる。
【００５６】
また、上記色信号調整回路は、Ｂ−Ｙ，Ｒ−Ｙ座標系におけるゲイン及び位相の変換を、それぞれの象限毎に独立に制御することが可能となり、ある象限における色信号調整の際に他の象限の色信号調整がされてしまうことがなく、また、同時に複数の象限とゲイン，位相を制御することもできる。
【図面の簡単な説明】
【図１】本発明を適用したカメラ装置の構成を示すブロック図である。
【図２】本発明に係る色信号調整回路の具体的な構成を示すブロック図である。
【図３】上記色信号調整回路の他の実施の形態を説明するための図である。
【符号の説明】
３６Ａ  Ｒ−Ｇ／Ｂ−Ｇ変換回路、３６Ｂ  位相・ゲイン調整回路、４１  クロマＳＩＯ、７１  第１象限パラメータ回路、７２  第２象限パラメータ回路、７３  第３象限パラメータ回路、７４  第４象限パラメータ回路、７５〜８７  スイッチ
【図１】
0003724038.tif 000002
【図２】
0003724038.tif 000003
【図３】
0003724038.tif 000004